(57)【要約】  本発明は、貯蔵タンク（１００）と、該貯蔵タンク（１００）を加熱するように構成された加熱装置（１）と、を具備する構成（２００）であって、該加熱装置（１）が、前記貯蔵タンク（１００）が少なくとも部分的に配置されたメインチャンバ（１４）を有する内部容積を定める筐体（１０）と、前記内部容積に配置された加熱要素（２０）と、少なくとも上部分から気体流体を吸引することにより流れを形成し、吸引された気体流体を前記メインチャンバ（１４）に搬送する、ように構成された送風機（３０）と、を具備し、吸引ダクト（４０）が前記内部容積において延び、前記送風ファン（３０）が、前記吸引ダクト（４０）において配置され、前記構成（２００）が、前記流れをスピードアップさせ、熱伝達（１００）を最適化するために、前記メインチャンバ（１４）に配置され、前記貯蔵タンク（１００）の周りに周辺空間（５１）を形成する案内スリーブ要素（５０）をさらに具備することを特徴とする、構成（２００）に関する。【選択図】          図１
2021523537.tif 000002
【特許請求の範囲】
【請求項１】
材料により満たされた貯蔵タンク（１００）と、該貯蔵タンク（１００）を加熱するように構成された加熱装置（１）と、を具備する構成（２００）であって、
前記加熱装置（１）が、
内部容積を定める筐体（１０）であって、該内部容積が、該筐体（１０）の縦軸（Ｙ−Ｙ）に従った、上部分（１０ａ）、中間部分（１０ｂ）及び下部分（１０ｃ）と、前記貯蔵タンク（１００）が少なくとも部分的に配置されたメインチャンバ（１４）と、を有する、筐体（１０）と、
前記内部容積において少なくとも部分的に配置され、該内部容積に含まれた気体流体を加熱するように構成された、少なくとも１つの加熱要素（２０）と、
少なくとも前記上部分（１０ａ）から気体流体を吸引することにより流れを形成し、吸引された気体流体を前記メインチャンバ（１４）に搬送する、ように構成された送風機（３０）と、
を具備し、
吸引ダクト（４０）が、前記内部容積において前記メインチャンバ（１４）から離れて延び、該メインチャンバ（１４）に連通し、
前記送風機（３０）が、前記吸引ダクト（４０）に配置され、
前記構成（２００）が、前記メインチャンバ（１４）において前記貯蔵タンク（１００）から距離をおいて配置され、前記貯蔵タンク（１００）の周りに周辺空間（５１）を形成する、案内スリーブ要素（５０）をさらに具備し、
該案内スリーブ要素（５０）が、前記貯蔵タンク（１００）の高さの半分より大きい高さにおいて環状部分を形成する筒状の形状を有し、前記メインチャンバ（１４）に搬送された前記気体流体を前記周辺空間（５１）に案内して、前記気体流体が、ファンの許容圧力降下に対応する最高の可能な速度を有するようになっている、
ことを特徴とする構成。
【請求項２】
単一のアクセス可能な筐体を具備する、請求項１に記載の構成。
【請求項３】
前記加熱装置（１）が、前記案内スリーブ要素（５０）の上方に配置され、上部壁（１２）に沿って前記上部分（１０ａ）において前記筐体（１０）の横軸（Ｘ−Ｘ）に沿って延びる、上部空洞（１７）、を具備する、請求項１に記載の構成。
【請求項４】
前記案内スリーブ要素（５０）が、前記貯蔵タンク（１００）の外壁のすべての周りに配置された内面を含む、請求項１から請求項３のいずれかに記載の構成。
【請求項５】
前記吸引ダクト（４０）が、前記上部分（１０ａ）から前記中間部分（１０ｂ）に延びる第１のセグメント（４１）と、前記中間部分（１０ｂ）から前記下部分（１０ｃ）に延びる第２のセグメント（４２）と、を含み、
前記第１のセグメント（４１）が、前記第２のセグメント（４２）の断面に比べて低減した断面を有する、請求項１から請求項４のいずれかに記載の構成。
【請求項６】
前記送風機（３０）が、前記筐体（１０）の前記内部容積の前記下部分（１０ｃ）において、前記吸引ダクト（４０）に配置される、請求項１から請求項５のいずれかに記載の構成。
【請求項７】
前記加熱要素（２０）が、前記送風機（３０）から上流において、前記吸引ダクト（４０）において優先的に配置される、請求項１から請求項６のいずれかに記載の構成。
【請求項８】
前記少なくとも１つの加熱要素（２０）及び／又は前記送風機（３０）を制御するように構成された制御ユニット（６０）を具備する、請求項１から請求項７のいずれかに記載の構成。
【請求項９】
前記筐体（１０）の内部にある前記気体流体の温度を測定するように構成された温度センサ（７０）を具備する、請求項１から請求項８のいずれかに記載の構成。
【請求項１０】
前記制御ユニット（６０）が、前記温度センサ（７０）と協働して、前記気体流体の温度を決定された設定値に維持する、請求項６又は請求項７に記載の構成。
【請求項１１】
メータリング要素（１０１、１０２）が好ましくは前記加熱装置（１）の前記メインチャンバ（１４）に配置され得る、請求項１から請求項１０のいずれかに記載の構成。
【請求項１２】
前記メータリング要素が、前記貯蔵タンク（１００）から分配機への前記材料の循環を許容するように構成されたポンプ（１０１）を含み、
該ポンプが、前記加熱装置（１）の前記メインチャンバ（１４）に配置される、請求項１１に記載の構成。
【請求項１３】
少なくとも２つの回路構成要素からポリマーを処理するための分配機であって、請求項１から請求項１２のいずれかに記載された構成（２００）が搭載された第１の回路構成要素を少なくとも具備する、分配機。
【発明の詳細な説明】
【技術分野】
【０００１】
本発明は、例えばポリウレタン又は他の熱硬化性ポリマーを処理するための低圧分配機において用いられるために液体の形態であることが必要とされる或る材料により満たされた貯蔵タンクを加熱するように構成された、電気加熱及び強制空気循環に基づく加熱装置に関する。
【背景技術】
【０００２】
メーターミックス機又は鋳造機とも称される低圧又は高圧分配機は、少なくとも２つの構成要素回路を備え、各構成要素回路は、決定された粘度を有する液の形態を取得するように加熱されるべき１つの構成要素を含む貯蔵タンクを備える。この分配機は、精密ギヤポンプと、ミキシングヘッドに繋がって通常このミキシングヘッドから戻るホースと、を含む。
【０００３】
一般的に、この種類の機械の貯蔵タンクを加熱するための加熱装置は、この貯蔵タンクが少なくとも部分的に組み込まれたメインチャンバを、この貯蔵タンクに接続されたメータリング要素とともに含む。この加熱装置のメインチャンバは、上記貯蔵タンク及び上記メータリング要素を加熱するために、このメインチャンバに含まれた空気を加熱するように構成された加熱電気抵抗と、加熱された空気が循環して上記メインチャンバに入ることを可能にする送風機と、を含む。
【発明の概要】
【発明が解決しようとする課題】
【０００４】
この種類の構成が有利であるのは、この構成を実装することが簡単であり、上記貯蔵タンクを加熱するために用いられる技術が加熱流体（水、オイル、グリコール）を有する２重壁装置といったような他の加熱技術に比べて高額ではなく、上記構成のすべての要素（貯蔵タンク及びメータリング要素）が同一の装置を用いて加熱されるからである。しかし、空気流の熱伝達は一般的に不十分であり、目標とされる温度及び粘度とするために上記貯蔵タンクに含まれる材料を加熱するのに数時間が必要とされる。さらには、摂氏８０度を越える上昇した温度において、この不十分な伝導度及び熱伝達性能によって、高い勾配が生じ、上記貯蔵タンクの内部にある上記材料を目標とされる設定値にすることが困難である。
【０００５】
上記に基づいて、本発明の目的は、貯蔵タンクの近くの熱交換(heat exchange)を改善することによってこの貯蔵タンクの加熱時間が従来の加熱装置に比べて著しく低減する、簡単に作製され動作する、向上した加熱装置を提供することである。
【課題を解決するための手段】
【０００６】
この目的のために、本発明の１つの目的は、材料により満たされた貯蔵タンクと、該貯蔵タンクを加熱するように構成された加熱装置と、を具備する構成であって、前記加熱装置が、内部容積を定める筐体であって、該内部容積が、該筐体の縦軸に従った、上部分、中間部分及び下部分と、前記貯蔵タンクが少なくとも部分的に配置されたメインチャンバと、を有する、筐体と、前記内部容積において少なくとも部分的に配置され、該内部容積に含まれた気体流体を加熱するように構成された、少なくとも１つの加熱要素と、少なくとも前記上部分から気体流体を吸引することにより流れを形成し、吸引された気体流体を前記メインチャンバに搬送する、ように構成された送風機と、を具備し、吸引ダクトが、前記内部容積において前記メインチャンバから離れて延び、該メインチャンバに連通し、前記送風機が、前記吸引ダクトに配置され、前記構成が、前記メインチャンバにおいて前記貯蔵タンクから距離をおいて配置され、前記貯蔵タンクの周りに周辺空間を形成する、案内スリーブ要素をさらに具備し、該案内スリーブ要素が、前記貯蔵タンクの高さの半分より大きい高さにおいて環状部分を形成する筒状の形状を有し、前記メインチャンバに搬送された前記気体流体を前記周辺空間に案内して、前記気体流体が、ファンの許容圧力降下に対応する最高の可能な速度を有するようになっている、ことを特徴とする構成である。
【０００７】
本発明に係るこの構成によれば、上記貯蔵タンクとの熱伝達を向上させるために、加熱された気体流体は、上記筐体の上記内部容積を通って案内される。実際、上記案内スリーブ要素は、上記貯蔵タンクを受け入れるように形成され、加熱された流れは、上記貯蔵タンクの外壁と上記案内スリーブ要素の内面との間に形成される周辺空間において上記案内スリーブ要素の内部に案内される。この空間は、熱伝達及び加熱スピードを増加させるために、上記加熱された気体流体が、増加したスピードで上記貯蔵タンクの外壁に可能な限り近くの位置にあることを可能にする。本発明によれば、上記貯蔵タンクの加熱時間は、同様に搭載された電力を用いる従来技術に比べて劇的に４０〜６０％減少され、著しく向上した熱交換を可能にする。好ましくは、上記流体気体は空気である。
【０００８】
本発明の１つの特徴によれば、上記筐体は、熱的に隔離されるために、２重壁構造を含む。本発明の１つの特徴によれば、上記筐体は、上記貯蔵タンクに対するアクセスを可能にするドアと、上記貯蔵タンクに含まれる上記材料を搬送するためのポンプ及び複数のダクト、複数の弁、フィルタ並びに複数のセンサ等といったような、メータリング要素と、を含む。本発明の１つの特徴によれば、上記構成は単一のアクセス可能な筐体を含むことができる。
【０００９】
本発明の１つの特徴によれば、上記筐体は、上記内部容積を定める、側壁と、上部壁と、下部壁と、を含む。
【００１０】
本発明の１つの特徴によれば、上記筐体は、筒状形状、多角形状、又は、加熱すべき上記貯蔵タンク及び構成要素に適合する任意の形状を有することができる。
【００１１】
本発明の１つの特徴によれば、上記案内スリーブ要素は、最高のスピードと、上記送風機に対応する圧力降下を形成するより大きな接触面とを有して、最適な流れを維持するように、形成される。例えば、上記案内スリーブ要素は、上記貯蔵タンクの高さの半分より大きい高さにおいて環状部分を形成する筒状形状又は多角形状を有することができる。
【００１２】
本発明の別の特徴によれば、上記メータリング要素は、上記貯蔵タンクから分配機への上記材料の循環を可能にするように構成され、上記加熱装置の上記内部容積に配置された、ポンプを含む。
【００１３】
本発明の１つの特徴によれば、上記貯蔵タンクに含まれる液体材料を搬送するためのポンプ及び複数のダクト、並びに、複数の弁、フィルタ及び複数のセンサ等といったようなメータリング要素が、好ましくは、上記加熱装置の上記メインチャンバに配置される。
【００１４】
この構成によれば、上記材料を搬送する上記ポンプ及び複数のダクトは、上記材料が上記貯蔵タンクの外にある場合であってもこの材料の液体態様を維持するために、上記送風機により上記メインチャンバに搬送される加熱された流れにより加熱される。
【００１５】
本発明の１つの特徴によれば、上記加熱装置は、上記案内スリーブ要素の上方に配置され、上記筐体の横軸に沿って延びる、上部空洞を含む。優先的には、上記上部空洞は、上記筐体の上部壁に沿って、上記筐体の上記内部容積の上記上部分に延びる。上記上部空洞は、上記流れの上記吸引ダクトに向かう循環を可能にする。
【００１６】
本発明の１つの特徴によれば、上記上部空洞は、上記案内スリーブ要素と流体連通する。本発明の１つの特徴によれば、上記上部空洞は、上記吸引ダクトと流体連通する。
【００１７】
本発明の１つの特徴によれば、上記送風機は、上記筐体の上記内部容積の上記下部分において、上記吸引ダクトに配置される。
【００１８】
本発明の１つの特徴によれば、上記案内スリーブ要素は、上記貯蔵タンクの上記外壁のすべての周りに配置される内面を含む。
【００１９】
本発明の１つの特徴によれば、上記案内スリーブ要素は、上記メインチャンバに連通する第１端と、この第１端の反対側にあって上記上部空洞に繋がる第２端と、を含む。
【００２０】
本発明の１つの特徴によれば、上記吸引ダクトは、上記内部容積の上記上部分から上記内部容積の上記中間部分に延びる第１のセグメントを含む。
【００２１】
本発明の１つの特徴によれば、上記吸引ダクトは、ダクトの１又は幾つかのセグメントを含み、このセグメントは、このセグメントに収容される複数の要素に従って形成される。
【００２２】
本発明の１つの特徴によれば、上記吸引ダクトは、上記内部容積の上記中間部分から上記内部容積の上記下部分に延びる第２のセグメントを含む。好ましくは、上記吸引ダクトの上記第１のセグメントは、上記第２のセグメントの断面に比べて低減した断面を有する。これら２つの断面の間における差は、上記気体流体の加熱プロセスを増加させるために、上記送風機の上流におけるデビット流れ(debit flow)を増加させることを可能にする。
【００２３】
本発明の１つの特徴によれば、上記加熱要素は、上記送風機から上流に、優先的には上記吸引ダクトに配置される。優先的には、上記少なくとも１つの加熱要素は、上記メインチャンバの上流の気体流体を加熱するために、上記吸引ダクトにおいて、上記内部容積の上記中間部分又は上記上部分に配置される。この配置は、増加したデビット流れ(debit flow)において少ない体積の気体流体を加熱することを可能にし、これによって、目標とされる温度値に到達するための加熱プロセスのスピードを増加させる。好ましくは、加熱されるべき上記気体流体は、上記加熱装置の上記上部空洞からくる。
【００２４】
本発明の１つの特徴によれば、上記加熱要素は電気抵抗であり、これは、簡単であり、標準的であり、他の技術に比べて費用を安くすることができる。
【００２５】
本発明の１つの特徴によれば、上記加熱要素は、幾つかの加熱要素を含む。
【００２６】
本発明の１つの特徴によれば、上記加熱装置は、上記少なくとも１つの加熱要素及び／又は上記送風機を制御するように構成された制御ユニットを含む。
【００２７】
本発明の１つの特徴によれば、上記加熱要素は、上記内部要素の内部にある上記気体流体の温度を測定するように構成された温度センサを含む。
【００２８】
本発明の１つの特徴によれば、上記制御ユニットは、上記温度センサと協働して、上記気体流体の温度を決定された設定値に維持する。これにより、上記温度センサは、上記内部容積の内部における温度を測定し、その測定値を上記制御ユニットに送信し、上記制御ユニットが、上記決定された温度の設定値に到達するために、上記少なくとも１つの加熱要素及び／又は上記送風機を制御する。
【００２９】
本発明の１つの特徴によれば、上記気体流体の温度が目標とされる設定値にあるときには、上記制御ユニットは、上記少なくとも１つの加熱要素を切断する。上記気体流体の温度が上記目標とされる設定値より低いときには、上記制御ユニットは、上記気体流体の温度を増加させるために、上記少なくとも１つの加熱要素を制御する。
【００３０】
本発明の１つの特徴によれば、上記流れのスピードは、上記少なくとも１つの加熱要素に適合して熱伝達を最適化するために、上記制御ユニットにより決定される。例えば、目標とされる温度に到達したときには、上記フローのスピードは、低減された熱損失及びモータの消費によるエネルギーを節約するために、（例えば半分のファンスピードに）低下させられ得る。
【００３１】
本発明は、本発明に係る構成を搭載した第１の回路構成要素を少なくとも含む、少なくとも２つの回路構成要素からポリマーを処理するための分配機を提供することを１つの目的とする。
【図面の簡単な説明】
【００３２】
本発明は、以下の図面に基づいて本発明の幾つかの実施形態を例として記載する、以下の詳細な説明によってよりよく理解されるであろう。
【００３３】
【図１】図１は、本発明に係る構成の断面図である。
【００３４】
【図２】図２は、本発明に係る詳細な空気流を示した、図１と同一の断面図である。
【００３５】
【図３】図３は、本発明に係る空気流と貯蔵タンクとの間における熱伝達を例示する、図１を詳細に示した図である。
【発明を実施するための形態】
【００３６】
本発明に係る構成２００は、図１及び図２に例示されるように少なくとも１つの貯蔵タンク１００を加熱するように構成された加熱装置１を含む。加熱装置１は、内部容積を定める、複数の側壁１１、上部壁１２及び下部壁１３を有する筐体１０を含む。明らかであるように、例示された筐体１０は、多角形状を有するが、本発明の範囲から逸脱することなく、筒状又は他の任意の形状であり得る図１及び図２に例示されるように、筐体１０は２重壁構造を含む、すなわち、各側壁１１、上部壁１２及び下部壁１３が、筐体１０の熱絶縁を確保するために、２重とされている。
【００３７】
加熱装置１は、さらに、筐体１０の内部容積の内部に少なくとも部分的に配置され空気流を加熱するように構成された、少なくとも１つの加熱要素２０、好ましくは幾つかの加熱要素２０を含む。図示された実施形態では、複数の加熱要素２０は、電気的抵抗であるが、本発明はこの実施形態に限定されない。
【００３８】
加熱装置１は、少なくとも上部分１０ａから空気を吸引することにより空気流を生成し、吸引した空気をメインチャンバ１４に搬送する、ように構成された送風ファン３０をさらに含む。
【００３９】
上記内部容積は、筐体１０の縦軸Ｙ−Ｙに関して、３つの部分、すなわち、上部分１０ａ、中間部分１０ｂ及び下部分１０ｃに分割される。これらの部分は、図１に模式的に示されている。
【００４０】
図１及び図２に示すように、加熱装置１は、図１及び図２に例示されるように、上部分１０ａから下部分１０ｃに延びる空気吸引ダクト４０を含む。好ましくは、複数の加熱要素２０が、上記送風ファンの上流にある中間部分１０ｂにおいて空気吸引ダクト４０に配置される。さらに、送風ファン３０は、また、上部分１０ａから下部分１０ｃに空気を吸引し、吸引した空気をメインチャンバ１４に搬送するために、下部分１０ｃにおいて空気吸引ダクト４０に配置される。
【００４１】
空気吸引ダクト４０は、上部分１０ａから中間部分１０ｂまで延びる第１セグメント４１と、中間部分１０ｂから下部分１０ｃまで延びる第２セグメント４２と、を含み、図１に示すように、例えば、第１セグメント４１は、第２セグメント４２の断面に比べて減少した断面を有する。明らかであるように、空気吸引ダクト４０は、本発明の範囲から逸脱することなく、別の形状を有し得る。
【００４２】
本発明の構成の本実施形態によれば、上記構成は、貯蔵タンク１００から距離をおいてメインチャンバ１４に設けられ、貯蔵タンク１００の周りに周辺空気空間５１を形成する、案内スリーブ要素５０をさらに含み、この案内スリーブ要素５０は、図１乃至図３に示すように貯蔵タンク１００の外壁に対する許容可能な圧力低下を考慮して、メインチャンバ１４に搬送された空気をできるだけ近い位置で周辺空気空間５１に案内するように構成される。
【００４３】
本発明の一実施形態によれば、加熱装置１は、案内スリーブ要素５０の上方に設けられ、筐体１０の横軸Ｘ−Ｘに沿って延び、優先的には、上部分１０ａにおいて筐体１０の上部壁１２に沿って延びる、上部空洞１７を含むことができる。上部空洞１７は、図１に示すように、案内スリーブ要素５０及び空気吸引ダクト４０に流体連通していることが好ましい。
【００４４】
図１に示すように、加熱装置は、上記少なくとも１つの加熱要素２０及び送風ファン３０を制御するように構成された制御ユニット６０を含む。さらに、加熱装置１は、筐体１０の内部にある空気の温度を測定するように構成された少なくとも１つの温度センサ７０を含む。制御ユニット６０は、温度センサ７０と協働して、空気の温度を決定された設定値に維持する。これにより、温度センサ７０は、筐体１０の内部、特に空気吸引ダクト４０の温度を測定し、その測定値を制御ユニット６０に送信し、制御ユニット６０は、決定された温度設定値に決定されたスピードで到達するために、複数の加熱要素２０及び／又は送風ファン３０を制御する。
【００４５】
本発明によれば、図１及び図２に例示された構成２００は、２つの回路構成要素からポリマーを処理するための分配機（図示せず）に組み込まれる。
【００４６】
図２に示すように、筐体１０の上記内部容積の内部における加熱された空気の循環は、閉ループである。上部空洞１７からの空気は、送風ファン３０により空気吸引ダクト４０の内部に吸引され、下部分１０ｃにまで下っていく間ずっと、複数の加熱要素２０により加熱される。この後、送風ファン３０は、吸引され加熱された空気をメインチャンバ１４の内部に送る。加熱された空気流は、上記内部容積において、案内スリーブ要素５０によって、上部分１７に向かって上昇するように、案内及び強制される。加熱された空気流は、案内スリーブ要素５０を通過して、特に図３に示すように、案内スリーブ要素５０に設けられた貯蔵タンク１００を熱伝達(heat transfer)により加熱する。上記空気流は、案内スリーブ要素５０によって上部空洞１７の内部に案内され、空気吸引ダクト４０の内部に再度吸引される。
【００４７】
本発明の一実施形態によれば、貯蔵タンク１００の内部に含まれる流体材料を搬送するための、ポンプ１０１、ダクト１０２、複数の弁、フィルタ、複数のセンサ等、といったような、メータリング要素１０１、１０２が、加熱された空気流により加熱されるために、加熱装置１のメインチャンバ１４に設けられ得ることが有利である。
【００４８】
本発明の好ましい実施形態によれば、２００リットルの貯蔵タンク１００を用いて摂氏８０度という温度に到達するために、従来技術において用いられるものと同様のファン及び加熱電力、並びに、実験部分（段落[００４９]以降）において記載される複数のパラメータを用いて、予期せず劇的な改善が測定されたといえるのは、目標とされた温度に到達するための時間が、設定値に近い商品実温度を用いて半分になり、強制空気循環によるこの新しい加熱装置１の効率が実証されたからである。
【００４９】
実験部分
図２において参照符号Ｓ１、Ｓ２及びＳ３が付された体１０の３つの断面において、５００Ｗ辺りの送風ファンの電力、１０００ｍ３／ｈという送風ファンの出力、及び、５００Ｐａという圧力降下を用いて、断面積（ｍｍ２）及び空気速度（ｍ／ｓ）が測定された。これらの測定値が、以下の表に提示される。
【表１】
2021523537.tif 000003
【００５０】
別の例（図示せず）では、複数のパラメータが変化し得る。すなわち、５００〜２０００ｍ３／ｈという送風ファンの出力、及び、２００〜２０００Ｐａという圧力降下について、送風ファンの電力は、２００〜２０００Ｗとなり得る。
【表２】
2021523537.tif 000004
【００５１】
別の例（図示せず）では、複数のパラメータが変化し得る。すなわち、５００〜１５００ｍ３／ｈという送風ファンの出力、及び、３００〜１０００Ｐａという圧力降下について、送風ファンの電力は、２００〜７５０Ｗとなり得る。
【表３】
2021523537.tif 000005
【００５２】
図１乃至図３に例示された例において、気体流体は空気であるが、本発明はこの例に限定されない。さらに、上記例における送風機は、送風ファンであるが、上記送風機は、空気又は気体流体を吹き出すように構成されたあらゆる装置であり得る。明らかであるように、本発明は、添付図面を用いて記載及び表現された様々な実施形態に限定されない。特に、各要素の構成の観点から、又は、技術的な均等物の代用によって、本発明の範囲から逸脱することなく、様々な変更が依然として可能である。
【図１】
2021523537.tif 000006
【図２】
2021523537.tif 000007
【図３】
2021523537.tif 000008
【国際調査報告】
2021523537.tif 000009
2021523537.tif 000010
2021523537.tif 000011